(57)【要約】      （修正有）【課題】海苔畑の支柱の立て辛い海底の貝殻や砂の層に海苔支柱を立て込むための、空気圧水圧兼用海苔支柱立て込み装置を提供する。【解決手段】海苔支柱２７の根元側に排水する形状に設けた、空気圧または水圧を加える兼用のパイプを、海苔支柱挟み具Ａ部の背面側縦に組み合わせ、海苔支柱挟み具Ａと海苔支柱挟み具Ｂ部２の間に、カムコイルばね２３の弾力を応用して海苔支柱２７に挟み固定して、空気または水を噴射しながら海底の貝殻や砂の層を気泡または水流で液状化して海苔支柱を立て込み、空気圧水圧兼用海苔支柱立て込み装置の海底センサーが海底表面に到達すると、ロッド海底センサー２５で、カムレバー１３を押上げて固定を解除し、空気圧水圧兼用海苔支柱立て込み装置を船上に回収できる様に構成する。【選択図】図５
0003156252.tif 000002
【実用新案登録請求の範囲】
【請求項１】
海苔支柱の側面を左右から挟むため、パイプの内径を海苔支柱の柄に合わせ、長さを決めて縦に二分して、二分した半円形の海苔支柱挟み具の、双方の内面に滑り止めゴムを、片方の海苔支柱挟み具Ａ部の半円形横部片側にスライド軸上下を、対片方の海苔支柱挟み具Ｂ部の半円形横部片側にスライド軸受け上下を、スライド軸受け上下の間にカム溝用凸部を、海苔支柱挟み具Ａ部のスライド軸を海苔支柱挟み具Ｂ部のスライド軸受けに入れ込み合わせて、海苔支柱を双方の間に挟むように設けた、海苔支柱挟み具組品。
【請求項２】
空気圧または水圧を兼用に応用し、海底の貝殻や砂の層を液状化し穴を開けて、海苔支柱に沿い海苔支柱の根元を導くため、海苔支柱挟み具Ａ部の半円形外面縦方向に、排水口を窄めて片寄せした、送水パイプと、噴射調整ノズルと、ホースと、ホース弛ませ用、ホースコイルばねとを合わせて、海底の貝殻や砂の層を液状化し穴を開けるために設けた、送水パイプ組品。
【請求項３】
海苔支柱挟み用具Ａ側部と海苔支柱挟み用具Ｂ側部の間に、海苔支柱を挟み、固定したり解除したりするために、海苔支柱挟み用具Ａ側部に組み合わせるための、溝付カム支点軸と、溝付カムと、カムレバーと、レバーロッドセンサーと、カムコイルばねと、ばねフックＣと、ばねフックＤと、ロッドセンサーと、ロッドセンサー軸と、ワイヤーを合わせて、海苔支柱を挟み固定解除するために設けた、海苔支柱固定解除組品。
【請求項４】
請求項１の、海苔支柱挟み具組品と、請求項２の、送水パイプ組品と、請求項３の、海苔支柱固定解除組品を合わせて構成した、海底の貝殻や砂の層を液状化し海苔支柱を立込むための、空気圧水圧兼用海苔支柱立込み装置。
【考案の詳細な説明】
【技術分野】
【０００１】  本考案は、海苔支柱の立て辛い海苔畑海底の貝殻や砂の層を空気圧と水圧を兼用に応用して海苔支柱を立て込む、空気圧水圧兼用海苔支柱立て込み装置に関する。
【背景技術】
【０００２】  従来から、海苔支柱立て込み装置として、特許文献に開示されているものがある。
【特許文献１】  特開  ２００−１７４８２９号公報
【０００３】  従来から、海苔の生産地有明海では、船上から送水しながら水圧で海底の貝殻や砂の層を液状化し穴を開け海苔支柱を立て込む、穴あけ用パイプがある。（図１１）。
【考案の開示】
【考案が解決しようとする課題】
【０００４】  特許文献１では重機により海苔支柱を立て込む方法が取られているが、海苔漁船に重機を積むと積載量が増え、有明海の海苔漁船では海苔支柱を積むスペースが減少してしまい、船を大きくすると扱いづらく、コスト面でもデメリットが発生する。【０００５】  従来から、利用されている金属性の送水パイプは、船上から海水ポンプによりホースでパイプに送水して、海底の貝殻や砂の層に海水を噴射しながら液状化して穴を開け、パイプを引き抜き、開けた穴に海苔支柱の根元を差し込み立て込まれているが、船上からパイプを引き抜いた穴は貝殻や砂や泥の濁りで見えないために、海苔支柱の根本が差し込みづらく、何度も送水パイプを上げ下げして穴を大きくして、海苔支柱の根元で穴を探し海苔支柱を押さえ立て込まれている。【０００６】  穴を大きくすると貝殻や砂の層の液状化の面積が広くなり、潮流の速い波の荒い時、海苔支柱は傾いたり抜けたりしてしまう、傾き、抜けを、防止するために、海苔支柱を上げ下げして反動をつけ押さえ深く立てると、海苔支柱の長さが限られているので、海苔芽を発育するために、満潮時の水面の光と干潮時の間出時間を取るための、海苔支柱に海苔網を吊るすロープの場所が限られ、満潮時の風が強く波の荒い時、海苔支柱は海苔網の目を指し海面から露出して、海苔網は乾燥して時間がたつと海苔の種芽は死んでしまう。【０００７】  長い海苔支柱を使用すると直径も大きくなり、重量も増え扱いづらく不便であり、海苔期間が終わり海苔支柱を撤去するとき、海底に深く抜かれているために抜き辛い、コスト面でもデメリットが発生する。
この考案は、これらの不都合を解決することを課題とする。
【課題を解決するための手段】
【０００８】  そこで、海苔支柱の立て辛い海底の貝殻や砂の層に立て込むために、パイプの内径を海苔支柱の柄に合わせ、長さを決めて縦に二分し、双方で挟むようにして、二分した双方の海苔支柱挟み具の半円形の内面に、滑り止めゴム板を、片方挟み具Ａ部の半円形横部片側上下に、スライド軸を、対片方挟み具Ｂ部の半円形横部片側に、スライド軸受上下を、スライド軸受け上下の間に、カム溝用凸部を、海苔支柱挟み具Ａ部の、スライド軸上下を、海苔支柱挟み具Ｂの、スライド軸受け上下にそれぞれ入れ込み合わせて、海苔支柱挟み具組品（図１）を設ける。【０００９】  海苔支柱挟み具Ａ部半円形の外面縦方向に、ノズル側の排水口を絞って側面の一部に片寄せした送水パイプを、片寄せした方向を海苔支柱挟み具Ａの背面側に向け、ホースと、排水口に噴射ノズルを合わせ、ホースを弛ませてホースコイルばねを合わせて、送水パイプ組品を設けて、海苔支柱挟み具組品に合わせ（図２）を設ける。【００１０】  海苔支柱挟み具Ａ部の半円形横部のスライド軸上下の間に、溝付カム支点軸と、溝付カムと、カムレバーを合わせ、海苔支柱挟み具Ａ部の、ばねフックＤと、溝付カムのばねフックＣの間に、カムコイルばねを合わせ、レバーロッドセンサーを、カムレバーの、レバーロッドセンサー軸とを合わせ、海苔支柱挟み具Ａ部側に、海苔支柱固定解除組品を設ける。【００１１】  海苔支柱挟み具Ａ部の、溝付カムの溝に、海苔支柱挟み具Ｂ部のカム溝凸部を入れ込み合わせる。ホースとワイヤーフックの間に、ホースワイヤーの長さを調整し合わせて構成した、空気圧水圧兼用海苔支柱立込み装置（図３）を考案した。この空気圧水圧兼用海苔支柱立込み装置を、海苔支柱に固定して海苔支柱を貝殻や砂の層に立て込む。
【考案の効果】
【００１２】  よって、本考案の、空気圧水圧兼用海苔支柱立て込み装置を海苔支柱に用いて海苔支柱の立て辛い海苔畑の海底の貝殻や砂の層に立て込む場合、従来のパイプのように開けた穴が見えなかったり、見えないために穴を大きくしたり、大きくした穴に立て込んだ海苔支柱が速い潮流により傾いたり抜けたりする不都合は起きず、長くて大きな海苔支柱を使う必要もなく、海苔支柱立込み作業の能率を向上させコストも削減でき、海苔支柱に吊るされた海苔網の芽を順調に育てることができて海苔の増産に結びつくのである。
【考案を実施するための最良の形態】
【００１３】  船上でこの、空気圧水圧兼用海苔支柱立込み装置を用いて、２７海苔支柱を立込む場合、１海苔支柱挟み具Ａ部と、２海苔支柱挟み用具Ｂ部の間から、図３を正面にして裏側から、２７海苔支柱を入れ込み、排水口を窄めて側面の一部に片寄せした、９送水パイプの、１０噴射可変ノズルの位置を下側にして、１３カムレバーで、１６溝付カム支点軸を支点に、１７溝付カムを扇状に時計回りに動かし、１８溝付カムの溝で、２海苔支柱挟み具Ｂの、１９カム溝用凸を引き寄せ、１海苔支柱はさみ具Ａと、２海苔支柱挟み具Ｂの間を狭めながら、２１ばねフックＤと、２２ばねフックＣを結ぶ、２３カムコイルばねを伸ばし、２１ばねフックＤと、２２ばねフックＣの間の、１６溝付カム支点軸の支点を通過した位置で、２３カムコイルばねの弾力を応用して、２７海苔支柱に、空気圧水圧兼用海苔支柱立込み装置を固定する、図５。【００１４】  空気圧水圧兼用海苔支柱立て込み装置の固定された、２７海苔支柱を持ち、１４ホースに、空気圧または水圧を加え、１０噴射可変ノズルを海底の所定の位置に押さえ、気泡または水流で貝殻や砂の層を液状化しながら、２７海苔支柱で共に押え込んでいく。【００１５】  ９送水パイプの排水口を窄めて側面の一部に片寄せして、片寄した方向を、１海苔支柱挟み具Ａ部の半円形背面縦方向に組み合わせた、斜めの形状の、１０噴射可変ノズルを組み合わせた、９送水パイプは液状化した貝殻や砂の層に押さえ込まれるときの抵抗の差により、２７海苔支柱側に圧力が強くなり、２７海苔支柱と間隔を広げる事なく、２７海苔支柱の根本を液状化の貝殻や砂の層の中に導く。【００１６】  海底表面に達した、２５ロッド海底センサーは海底表面に押さえつけられ、１３カムレバーを押し上げ、１６溝付カム支点軸を軸に、１７溝付カムを反時計回りに動かし、１８溝付カムの溝で、２海苔支柱挟み具Ｂの、１９カム溝用凸部を押し戻し、１海苔支柱挟み具Ａと、２海苔支柱挟み具Ｂの間を広げながら、２１ばねフックＤと、２２ばねフックＣの間を結ぶ、２３カムコイルばねを伸ばし、２１ばねフックＤと、２２ばねフックＣの間の、１６溝付カム支点軸の支点を通過した位置の、２３カムコイルばねの弾力を応用して、１海苔支柱はさみ具Ａと、２海苔支柱はさみ具Ｂの間を広げて、２７海苔支柱から固定を解除し、噴射の反動を利用して、１４ホースを引き、空気圧水圧兼用海苔支柱立込み装置を船上に回収する。【００１７】  海底表面がやわらかく、２５ロッド海底センサーで海底表面が感知しづらい場合１４ホースを強く引くと、１５ホースコイルばねが伸び、弛みを持たせたホースが伸び、２６ホースワイヤーで、１３カムレバーを引き、１７溝付カムを反時計回りに動かし、１８カムの溝で、２海苔支柱は挟み具Ｂの、１９カム溝用凸部を押し戻し、１海苔支柱挟み具Ａと、２海苔支柱挟み具Ｂとの間を広げながら、２１ばねフックとＤ、２２ばねフックＣの間の、１６溝付カム支点軸の支点を通過した位置の、２３カムコイルばねの弾力を応用して、１海苔支柱挟み具Ａと、２海苔支柱挟みＢの間を広げて、２７海苔支柱から固定を解除し、噴射の反動を利用して、１４ホースを引き、空気圧水圧兼用海苔支柱立込み装置を船上に回収する。【００１��】  このように工夫した、本考案の、空気圧水圧兼用海苔支柱立て込み装置は、空気圧または、水圧を兼用に応用することが出来るため、海苔支柱の立て込み作業に利用すると、手の届かない位置の海苔支柱立て込み装置の固定を解除することができ海苔支柱の立て込み作業の疲労を減らし能率を向上させる事ができる。【００１９】  尚、空気圧水圧兼用海苔支柱立て込み装置の、パイプを縦に二分した海苔支柱挟み具Ａ側と海苔支柱挟み具Ｂ側は、海苔支柱の柄に合わせて挟み幅と長さを決め、排水口を窄めて側面の一部に片寄せした送水パイプの長さは、海苔支柱を立て込む深さで長さを決め、カムコイルばねの弾力は、海苔支柱挟み具Ａと海苔支柱挟み具Ｂの間に海苔支柱を挟み立て込む場合滑らない強さにし、ホースコイルばねの弾力は、ホースを弛ませる強さにするとよい。【００２０】  これら、空気圧水圧兼用海苔支柱立て込み装置の材料は海水に強く錆びない金属が望ましい。
【産業上の利用可能性】
【００２１】  本発明に係る、空気圧水圧兼用海苔支柱立て込み装置は、工業的量産することが可能であるために、産業上の利用可能性を有する。
【図面の簡単な説明】
【００２２】
【図１】海苔支柱挟み具Ａ部に海苔支柱挟み具Ｂ部を合わせた、海苔支柱挟み具組品の部分立面図である。
【図２】海苔支柱挟み具組み品に、送水パイプと、ホースと、ホースコイルばねと、合わせた部分立面図である。
【図３】空気圧水圧兼用海苔支柱立込み装置の立面図である。
【図４】排水口を窄めて側面の一部に片寄せした、送水パイプに、噴射可変ノズルを合わせた部分平面図である。
【図５】空気圧水圧兼用、海苔支柱立て込み装置の、海苔支柱挟み具Ａと海苔支柱挟み具Ｂの間に海苔支柱を入れて挟んだ立面図である。
【図６】海苔支柱の立面図である。
【図７】噴射可変ノズルの側面図である。
【図８】噴射可変ノズルの平面図である。
【図９】排水口を窄めて側面の一部に片寄せした、送水パイプの立面図である。
【図１０】排水口を窄めて側面の一部に片寄せした、送水パイプの平面図である。
【図１１】従来の送水パイプの立面図である。
【符号の説明】
【００２３】  １  海苔支柱挟み具Ａ部を示す
２  海苔支柱挟み具Ｂ部を示す
３  スライド軸上を示す
４  スライド軸下を示す
５  スライド軸受け上を示す
６  スライド軸受け下を示す
７  滑り止めゴム板、海苔支柱挟み具Ａ側を示す
８  滑り止めゴム板、海苔支柱挟み具Ｂ側を示す
９  送水パイプを示す
１０  噴射可変ノズルを示す
１１  噴射調整ボルトを示す
１２  噴射調整ボルト回り防止ばねを示す
１３  カムレバーを示す
１４  ホースを示す
１５  ホースコイルばねを示す
１６  溝付カム支点軸を示す
１７  溝付きカムを示す
１８  溝付カムの溝を示す
１９  カム溝用凸部を示す
２０  ワイヤーフックを示す
２１  ばねフックＤを示す
２２  ばねフックＣを示す
２３  カムコイルばねを示す
２４  ロッド海底センサー支点軸を示す
２５  ロッド海底センサーを示す
２６  ホースワイヤーを示す
２７  海苔支柱を示す
２８  従来の穴あけ用送水パイプを示す
【図１】
0003156252.tif 000003
【図２】
0003156252.tif 000004
【図３】
0003156252.tif 000005
【図４】
0003156252.tif 000006
【図５】
0003156252.tif 000007
【図６】
0003156252.tif 000008
【図７】
0003156252.tif 000009
【図８】
0003156252.tif 000010
【図９】
0003156252.tif 000011
【図１０】
0003156252.tif 000012
【図１１】
0003156252.tif 000013
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
海苔支柱の側面を挟むため、パイプの内径を海苔支柱の柄に合わせ、長さを決めて縦に二分して、二分した双方の海苔支柱挟み具の半円形の内面に、滑り止めゴムと、片方の海苔支柱挟み具Ａ部の半円形横部片側にスライド軸上下と、対片方の海苔支柱挟み具Ｂ部の半円形横部片側にスライド軸受け上下と、スライド軸受け上下の間に、カム溝用凸部と、海苔支柱挟み具Ａ部のスライド軸上下を、海苔支柱挟み具Ｂ部のスライド軸受け上下に入れ込み、組み合わせた、海苔支柱挟み部分組品。
【請求項２】
海苔支柱挟み具Ａ部と海苔支柱挟み具Ｂ部の間の海苔支柱を固定と解除をするため、溝付カム支点軸と、溝付カムと、カムレバーと、カムコイルばねと、ばねフックＣと、ばねフックＤと、ロッド海底センサーと、ロッド海底センサー軸とを組み合わせた、固定解除部分組品に、請求項１記載の海苔支柱挟み部分組品を備えて組み合わせた、海苔支柱挟み固定解除部分組品。
【請求項３】
空気圧または水圧を兼用に応用し、海底の貝殻や砂の層を液状化し穴を開けて、海苔支柱に沿い海苔支柱の根本を導くため、排水口を窄って片寄せし、片寄せした側面を海苔支柱挟み具の背面方向にする、送水パイプと、噴射可変ノズルと、ホースと、ワイヤーと、ホース弛ませ用ホースコイルばねとを組み合わせた、パイプ部分組品に、請求項２記載の海苔支柱挟み固定解除部分組品を備えて組み合わせ構成した、空気圧海水兼用海苔支柱立込み装置。
【手続補正２】
【補正対象書類名】明細書
【補正対象項目名】全文
【補正方法】変更
【補正の内容】
【考案の詳細な説明】
【技術分野】
【０００１】  本考案は、海苔支柱の立て辛い海苔畑海底の貝殻や砂の層を空気圧と水圧を兼用に応用して海苔支柱を立て込む、空気圧水圧兼用海苔支柱立て込み装置に関する。
【背景技術】
【０００２】  従来から、海苔支柱立て込み装置として、特許文献に開示されているものがある。
【特許文献１】  特開  ２００−１７４８２９号公報
【０００３】  従来から、海苔の生産地有明海では、船上から送水しながら水圧で海底の貝殻や砂の層を液状化し穴を開け海苔支柱を立て込む、穴あけ用パイプがある。（図１１）。
【考案の開示】
【考案が解決しようとする課題】
【０００４】  特許文献１では重機により海苔支柱を立て込む方法が取られているが、海苔漁船に重機を積むと積載量が増え、有明海の海苔漁船では海苔支柱を積むスペースが減少してしまい、船を大きくすると扱いづらく、コスト面でもデメリットが発生する。【０００５】  従来から、利用されている金属性の送水パイプは、船上から海水ポンプによりホースでパイプに送水して、海底の貝殻や砂の層に海水を噴射しながら液状化して穴を開け、パイプを引き抜き、開けた穴に海苔支柱の根元を差し込み立て込まれているが、船上からパイプを引き抜いた穴は貝殻や砂や泥の濁りで見えないために、海苔支柱の根本が差し込みづらく、何度も送水パイプを上げ下げして穴を大きくして、海苔支柱の根元で穴を探し海苔支柱を押さえ立て込まれている。【０００６】  穴を大きくすると貝殻や砂の層の液状化の面積が広くなり、潮流の速い波の荒い時、海苔支柱は傾いたり抜けたりしてしまう、傾き、抜けを、防止するために、海苔支柱を上げ下げして反動をつけ押さえ深く立てると、海苔支柱の長さが限られているので、海苔芽を発育するために、満潮時の水面の光と干潮時の間出時間を取るための、海苔支柱に海苔網を吊るすロープの場所が限られ、満潮時の風が強く波の荒い時、海苔支柱は海苔網の目を指し海面から露出して、海苔網は乾燥して時間がたつと海苔の種芽は死んでしまう。【０００７】  長い海苔支柱を使用すると直径も大きくなり、重量も増え扱いづらく不便であり、海苔期間が終わり海苔支柱を撤去するとき、海底に深く抜かれているために抜き辛い、コスト面でもデメリットが発生する。
この考案は、これらの不都合を解決することを課題とする。
【課題を解決するための手段】
【０００８】  そこで請求項１の考案は、海苔支柱の側面を挟むため、パイプの内径を海苔支柱の柄に合わせ、長さを決めて縦に二分して、二分した双方の海苔支柱挟み具の半円形の内面に、滑り止めゴムと、片方の海苔支柱挟み具Ａ部の半円形横部片側に、スライド軸上下と、対片方の海苔支柱挟み具Ｂ部の半円形横部片側に、スライド軸受上下と、スライド軸受け上下の間に、カム溝用凸部と、海苔支柱挟み具Ａ部のスライド軸上下を、海苔支柱挟み具Ｂ部の、スライド軸受け上下に入れ込み組み合わせた、海苔支柱挟み部分組品（図１）である。この海苔支柱挟み部分組品で、図１を正面にして裏側から海苔支柱の側面を左右から挟むことができる。【０００９】  請求項２の考案は、海苔支柱挟み具Ａ部と海苔支柱挟み具Ｂ部の間の海苔支柱を固定と解除をするため、溝付カム支点軸と、溝付カムと、カムレバーと、カムコイルばねと、ばねフックＣと、ばねフックＤと、ロッド海底センサーと、ロッド海底センサー軸とを組み合わせた、固定解除部分組品に、請求項１記載の海苔支柱挟み部分組品を備えて組み合わせた、海苔支柱挟み固定解除部分組品（図２）である。この海苔支柱挟み固定解除部分組品で、海苔支柱の側面を左右から挟み、挟んだ海苔支柱の固定と解除ができる。【００１０】  請求項３の考案は、空気圧水圧を兼用に応用し、海底の貝殻や砂の層を液状化し穴を開けて、海苔支柱挟に沿い海苔支柱の根本を導くため、排水口を絞って片寄せし、片寄せした側面を海苔支柱挟み具の背面方向にする、送水パイプと、噴射可変ノズルと、ホースと、ワイヤーと、ホースを弛ませ用ホースコイルばねとを組み合わせた、パイプ部分組品に、請求項２記載の海苔支柱挟み固定解除部分組品を備えて組み合わせ構成した、空気圧水圧兼用海苔支柱立込み装置（図３）である。この空気圧海水兼用海苔支柱立込み装置の噴射口を海苔支柱の根元より下側にして固定し、海底表面に押さえ込むと、空気圧では気泡で水圧では水流で貝殻や砂の層を液状化して穴を開け、海苔支柱の根本を開けた穴に導き、固定を解除して、海苔支柱を立込むことができる。
【考案の効果】
【００１１】  よって、本考案の、空気圧水圧兼用海苔支柱立て込み装置を海苔支柱に用いて海苔支柱の立て辛い海苔畑の海底の貝殻や砂の層に立て込む場合、従来のパイプのように開けた穴が見えなかったり、見えないために穴を大きくしたり、大きくした穴に立て込んだ海苔支柱が速い潮流により傾いたり抜けたりする不都合は起きず、長くて大きな海苔支柱を使う必要もなく、海苔支柱立込み作業の能率を向上させコストも削減でき、海苔支柱に吊るされた海苔網の芽を順調に育てることができて海苔の増産に結びつくのである。
【考案を実施するための最良の形態】
【００１２】  船上でこの、空気圧水圧兼用海苔支柱立込み装置を用いて、２７海苔支柱を立込む場合、１海苔支柱挟み具Ａ部と、２海苔支柱挟み用具Ｂ部の間から、図３を正面にして裏側から、２７海苔支柱を入れ込み、排水口を窄めて側面の一部に片寄せした、９送水パイプの、１０噴射可変ノズルの噴射範囲調整し、噴射口を、２７海苔支柱の根本より下側にして、１３カムレバーで、１６溝付カム支点軸を支点に、１７溝付カムを扇状に時計回りに動かし、１８溝付カムの溝で、２海苔支柱挟み具Ｂの、１９カム溝用凸を引き寄せ、１海苔支柱はさみ具Ａと、２海苔支柱挟み具Ｂの間を狭めながら、２１ばねフックＤと、２２ばねフックＣを結ぶ、２３カムコイルばねを伸ばし、２１ばねフックＤと、２２ばねフックＣの間の、１６溝付カム支点軸の支点を通過した位置で、２３カムコイルばねの弾力を応用して、２７海苔支柱に、空気圧水圧兼用海苔支柱立込み装置を固定する、図５。【００１３】  空気圧水圧兼用海苔支柱立て込み装置の固定された、２７海苔支柱を持ち、１４ホースに、空気圧または水圧を加え、１０噴射可変ノズルを海底の所定の位置に押さえ、気泡または水流で貝殻や砂の層を液状化しながら、２７海苔支柱で共に押え込んでいく。【００１４】  ９送水パイプの排水口を窄めて側面の一部に片寄せして、片寄した方向を、１海苔支柱挟み具Ａ部の半円形背面縦方向に組み合わせた、斜めの形状の、１０噴射可変ノズルを組み合わせた、９送水パイプは液状化した貝殻や砂の層に押さえ込まれるときの抵抗の差により、２７海苔支柱側に圧力が強くなり、２７海苔支柱との間隔を広げる事なく、２７海苔支柱の根本を液状化の貝殻や砂の層の中に導く。【００１５】  海底表面に達した、２５ロッド海底センサーは海底表面に押さえつけられ、１３カムレバーを押し上げ、１６溝付カム支点軸を軸に、１７溝付カムを反時計回りに動かし、１８溝付カムの溝で、２海苔支柱挟み具Ｂの、１９カム溝用凸部を押し戻し、１海苔支柱挟み具Ａと、２海苔支柱挟み具Ｂの間を広げながら、２１ばねフックＤと、２２ばねフックＣの間を結ぶ、２３カムコイルばねを伸ばし、２１ばねフックＤと、２２ばねフックＣの間の、１６溝付カム支点軸の支点を通過した位置の、２３カムコイルばねの弾力を応用して、１海苔支柱はさみ具Ａ部と、２海苔支柱はさみ具Ｂ部の間を広げて、２７海苔支柱から固定を解除し、噴射の反動を利用して、１４ホースを引き、空気圧水圧兼用海苔支柱立込み装置を船上に回収する。【００１６】  海底表面がやわらかく、２５ロッド海底センサーで海底表面が感知しづらい場合１４ホースを強く引くと、１５ホースコイルばねが伸び、弛みを持たせたホースが伸び、２６ホースワイヤーで、１３カムレバーを引き、１７溝付カムを反時計回りに動かし、１８カムの溝で、２海苔支柱は挟み具Ｂの、１９カム溝用凸部を押し戻し、１海苔支柱挟み具Ａと、２海苔支柱挟み具Ｂとの間を広げながら、２１ばねフックとＤ、２２ばねフックＣの間の、１６溝付カム支点軸の支点を通過した位置の、２３カムコイルばねの弾力を応用して、１海苔支柱挟み具Ａと、２海苔支柱挟みＢの間を広げて、２７海苔支柱から固定を解除し、噴射の反動を利用して、１４ホースを引き、空気圧水圧��用海苔支柱立込み装置を船上に回収する。【００１７】  このように工夫した、本考案の、空気圧水圧兼用海苔支柱立て込み装置は、空気圧または、水圧を兼用に応用することが出来るため、海苔支柱の立て込み作業に、利用すると、手の届かない位置の海苔支柱立て込み装置の固定を解除することができ海苔支柱の立て込み作業の疲労を減らし能率を向上させる事ができる。【００１８】  尚、空気圧水圧兼用海苔支柱立て込み装置の、パイプを縦に二分した海苔支柱挟み具Ａ側と海苔支柱挟み具Ｂ側は、海苔支柱の柄に合わせて挟み幅と長さを決め、排水口を窄めて側面の一部に片寄せした送水パイプの長さは、海苔支柱を立て込む深さで長さを決め、カムコイルばねの弾力は、海苔支柱挟み具Ａ部と海苔支柱挟み具Ｂ部の間に海苔支柱を挟み立て込む場合滑らない強さにし、ホースコイルばねの弾力は、ホースを弛ませる強さにするとよい。【００１９】  これら、空気圧水圧兼用海苔支柱立て込み装置の材料は海水に強く錆びない金属が望ましい。
【産業上の利用可能性】
【００２０】  本発明に係る、空気圧水圧兼用海苔支柱立て込み装置は、工業的量産することが可能であるために、産業上の利用可能性を有する。
【図面の簡単な説明】
【００２１】
【図１】  海苔支柱挟み具Ａ部に海苔支柱挟み具Ｂ部を合わせた、海苔支柱挟み部分組み品の立面図である。
【図２】  海苔支柱挟み部分組品に固定解除部分組品を組み合わせた立面図である。
【図３】  空気圧水圧兼用海苔支柱立込み装置の立面図である。
【図４】  排水口を窄めて側面の一部に片寄せした、送水パイプに、噴射可変ノズルを合わせた部分平面図である。
【図５】  空気圧水圧兼用、海苔支柱立て込み装置の、海苔支柱挟み具Ａと海苔支柱挟み具Ｂの間に海苔支柱を入れて挟んだ立面図である。
【図６】  海苔支柱の立面図である。
【図７】  噴射可変ノズルの側面図である。
【図８】  噴射可変ノズルの平面図である。
【図９】  排水口を窄めて側面の一部に片寄せした、送水パイプの立面図である。
【図１０】  排水口を窄めて側面の一部に片寄せした、送水パイプの平面図である。
【図１１】  従来の送水パイプの立面図である。
【符号の説明】
【００２２】  １  海苔支柱挟み具Ａ部を示す
２  海苔支柱挟み具Ｂ部を示す
３  スライド軸上を示す
４  スライド軸下を示す
５  スライド軸受け上を示す
６  スライド軸受け下を示す
７  滑り止めゴム板、海苔支柱挟み具Ａ側を示す
８  滑り止めゴム板、海苔支柱挟み具Ｂ側を示す
９  送水パイプを示す
１０  噴射可変ノズルを示す
１１  噴射調整ボルトを示す
１２  噴射調整ボルト回り防止ばねを示す
１３  カムレバーを示す
１４  ホースを示す
１５  ホースコイルばねを示す
１６  溝付カム支点軸を示す
１７  溝付きカムを示す
１８  溝付カムの溝を示す
１９  カム溝用凸部を示す
２０  ワイヤーフックを示す
２１  ばねフックＤを示す
２２  ばねフックＣを示す
２３  カムコイルばねを示す
２４  ロッド海底センサー支点軸を示す
２５  ロッド海底センサーを示す
２６  ホースワイヤーを示す
２７  海苔支柱を示す
２８  従来の穴あけ用送水パイプを示す
【手続補正３】
【補正対象書類名】図面
【補正対象項目名】図２
【補正方法】変更
【補正の内容】
【図２】
0003156252.tif 000014